(57)【要約】【課題】  作業範囲の視認性を向上し、ナイロンコードや駆動源の耐久性を向上させた草刈機を提供することである。【解決手段】  駆動源と、前記駆動源が設けられる棹部と、前記棹部の一端に取り付けられ、前記駆動源によって回転駆動させられ、外周に設けられたコード状の刃部によって刈り込みを行うナイロンコードカッタと、前記ナイロンコードカッタの外周の一部を覆う飛散防御カバーと、を備えた草刈機において、前記飛散防御カバーの内側の面、又は、前記棹部における前記一端側の端面の少なくとも一方に設けられる照明部を備える【選択図】図４
2017012048.tif 000002
【特許請求の範囲】
【請求項１】
駆動源と、
前記駆動源が設けられる棹部と、
前記棹部の一端に取り付けられ、前記駆動源によって回転駆動させられ、外周に設けられたコード状の刃部によって刈り込みを行うナイロンコードカッタと、
前記ナイロンコードカッタの外周の一部を覆う飛散防御カバーと、を備えた草刈機において、
前記飛散防御カバーの内側の面、又は、前記棹部における前記一端側の端面の少なくとも一方に設けられる照明部を備える、ことを特徴とする草刈機。
【請求項２】
前記照明部は前記端面に設けられるとともに、前記飛散防御カバーの内側に位置する、ことを特徴とする請求項１に記載の草刈機。
【請求項３】
前記照明部は、前記ナイロンコードカッタの回転面において、前記刃部が前記棹部の延びる側から遠ざかるように回転する半面に設けられる、ことを特徴とする請求項１または請求項２に記載の草刈機。
【請求項４】
前記照明部は、前記駆動源が駆動するための駆動操作に連動して照射する、ことを特徴とする請求項１乃至３のいずれか１項に記載の草刈機。
【請求項５】
前記照明部は複数の発光部材によって構成される、ことを特徴とする請求項１乃至４のいずれか１項に記載の草刈機。
【発明の詳細な説明】
【技術分野】
【０００１】
本発明は、庭などの草地の刈込みを行う草刈機に関するものである。
【背景技術】
【０００２】
雑草等を切断する作業機として、モータやエンジンなどの駆動源により回転する刃部を備える草刈機が知られている。草刈機の刃部としては、金属製のチップソーと、特許文献１に示すようにコードリールから延びる紐状のナイロンコードを有するナイロンコードカッタの２種類が一般的である。ナイロンコードカッタは、コードリールを駆動源によって回転させることで、ナイロンコードが雑草等を切断する。また、コードリールの上方には、ナイロンコードカッタの外周を覆うように飛散防御カバーが設けられ、ナイロンコードにより切断された雑草等が操作者へと飛散するのを防ぐ。
【０００３】
ナイロンコードカッタを長期間使用すると、ナイロンコードは摩滅によって破断される。たとえナイロンコードが摩滅によって切断する等によってナイロンコードの使用寿命が過ぎたとしても、コードリールを交換することで、使用者は草刈機を長期間使用することができる。
【先行技術文献】
【特許文献】
【０００４】
【特許文献１】特開２００３−２３０３１２号公報
【発明の概要】
【発明が解決しようとする課題】
【０００５】
従来、ナイロンコードカッタは草を刈る際に回転するコードが見え難く、金属製のチップソーと比べて切断範囲も分かり難い。このため、ナイロンコードが木や壁等の障害物に接触しやすく、障害物の表面を傷つけたり、不必要に駆動源に負荷をかけ寿命が短くなったり、ナイロンコードの摩耗を促進させコードリールの交換頻度が高くなったりという問題が生じやすく、作業性が低かった。
【０００６】
また、作業者周辺の視認性を向上することを目的として、草刈機本体に照明部を設ける構成も考えられていた。しかしながら、照明部の操作および調整が行いやすいように、飛散防御カバーのさらに上方となる棹部の途中部分に照明部を設ける構成となっていたため、照明部がナイロンコードによる切断範囲を照射しようとすると飛散防御カバーが干渉し、照射することができなかった。
【課題を解決するための手段】
【０００７】
上記課題を解決するため、本願発明に係る草刈機は、駆動源と、前記駆動源が設けられる棹部と、前記棹部の一端に取り付けられ、前記駆動源によって回転駆動させられ、外周に設けられたコード状の刃部によって刈り込みを行うナイロンコードカッタと、前記ナイロンコードカッタの外周の一部を覆う飛散防御カバーと、を備えた草刈機において、前記飛散防御カバーの内側の面、又は、前記棹部における前記一端側の端面の少なくとも一方に設けられる照明部を備える、ことを特徴とする。
【０００８】
また、前記照明部は前記端面に設けられるとともに、前記飛散防御カバーの内側に位置してもよい。
【０００９】
前記照明部は、前記ナイロンコードカッタの回転面において、前記刃部が前記棹部の延びる側から遠ざかるように回転する半面に設けられてもよい。
【００１０】
また、前記照明部は、前記駆動源が駆動するための駆動操作に連動して照射してもよい。
【００１１】
また、前記照明部は複数の発光部材によって構成されてもよい。
【発明の効果】
【００１２】
本発明によれば、ナイロンコードカッタの作業性を向上した草刈機を提供することが可能となる。
【図面の簡単な説明】
【００１３】
【図１】本発明の実施の形態となる草刈機の使用状態を示す説明図である。
【図２】本発明の実施の形態となる草刈機におけるモータハウジングの斜視図である。
【図３】本発明の実施の形態となる草刈機におけるモータハウジングの上面図である。
【図４】本発明の実施の形態となる草刈機におけるナイロンコードカッタの斜視図である。
【図５】本発明の変形例となる草刈機におけるナイロンコードカッタの斜視図
【発明を実施するための形態】
【００１４】
以下に本発明の実施の形態となる草刈機について説明する。
【００１５】
実施形態の草刈機１は、図１に示すように、駆動源として外部電源から電力が供給され回転するモータを収容するモータハウジング２と、モータハウジング２から上方斜め後側に延びる棹部３と、棹部３に対してモータ２が設けられる一端とは反対側の端部に設けられるハンドル４とを備えている。
【００１６】
また、図２に示すように、草刈機１にはナイロンコードカッタ５が設けられる。ナイロンコードカッタ５は、草刈機１に接続されるコードリール５１と、コードリール５１の外周に延びる紐状のナイロンコード５２とから構成され、コードリール５１がモータ２によって回転させられるのに合わせてナイロンコード５２が回転することで草を刈取る構造となっている。
【００１７】
コードリール５１の上方には、回転するナイロンコードカッタ５外周の特に後方側を覆うように飛散防御カバー６が設けられる。このため、ナイロンコード５２が切断作業を行う際に、刈り取られた雑草等が周囲に飛散し、作業者にかかることが防がれる。また、本発明の実施の形態ではナイロンコードカッタ５は回転範囲８内を上方から見て時計回りに回転するため、ナイロンコードカッタ５の回転方向において棹部３が延びる方向よりも下流側の回転半面（左半面）では雑草等は前方向に飛散し、一方で右半面では後方向に飛散する。このため、作業者は草刈作業を行う場合、雑草等が作業者側に飛散するのを防ぐため回転範囲８の左半面（切断範囲）で切断を行うが、併せて飛散防御カバー６はナイロンコードカッタ５の後方右側に偏って配置されるため、右半面から作業者側に雑草等が飛散するのを防がれるとともに、切断範囲での作業を妨げられることもない。図４に示すように、飛散防御カバー６の内側の面におけるナイロンコード５２の前方左側には、照明部７が設けられる。この照明部７はＬＥＤ、電球、有機ＥＬ等の発光部材で構成され、モータと同様に外部電源から電力を供給されて点灯し、ナイロンコード５２の回転範囲８を照射する。また、作業者が草刈作業を行う際には、ハンドル４に設けられたモータの駆動スイッチをオンすることでモータが駆動して、ナイロンコードカッタ５が回転し草刈り作業が開始される。本発明の実施の形態では照明部７はこのスイッチ操作に連動して点灯するように設定され、操作者がモータの駆動スイッチをオンすると照明部７も点灯を開始するように構成されている。
【００１８】
以上の構成によれば、草刈機１は飛散防御カバー６の内側の面に照明部７を備える構成としたため、照明部７により照射される光が飛散防御カバー６に干渉することなくナイロンコード５２の切断範囲を照射することができ、作業時の視認性をよくすることができる。このため、草刈機１を用いた作業時に、作業者がナイロンコード５２を木や壁等の障害物に接触させることが防止され、障害物の表面を傷つけたり、不必要にモータに負荷をかけ寿命が短くなったり、ナイロンコード５２の摩耗を促進させコードリール５１の交換頻度が高くなったりといった問題が生じることも防止でき、作業性が向上する。また、照明部７が草刈作業のスイッチと連動して点灯することで、作業者または周囲に対し作業中であることを視認させる効果を生じる。また、照明部７が飛散防御カバー６の内側の面に設けられることで、配線がモータハウジング２の外部にでることなく、誤って配線を切断したり作業の邪魔になるといった煩わしさも解消され、かつ刈った草が照明部７の表面に付着し照明の効果が薄れることも防止できる。
【００１９】
また、本実施の形態では飛散防御カバー６がモータハウジング２の下面全体を覆い、かつ全周にわたってコードリール５１を覆う構成としているが、これがモータハウジング２下面の一部とコードリール５１の一方向のみを覆い、モータハウジング２の下面の一部がむき出しとなる構成としてもよい。この場合、照明部７は必ずしも保護カバーの内側の面に設けられなくても、モータハウジング２の下面に設けられることで飛散防御カバー６に干渉することなく切断範囲を照射することが可能となり、上記効果をもたらすことができることは明らかである。
【００２０】
また、照明部７は、ナイロンコードカッタ５の回転方向において棹部３の延びる方向よりも下流側の回転半面、すなわち左半面に設けられるため、草刈機１の切断範囲である左側を効果的に照射することができ、作業性が向上できる。
【００２１】
次に、本発明の変形例について図５を用いて説明する。図５に示すように、照明部７を飛散防御カバー６の内側の面又はモータハウジング２の下面の少なくとも一方において、複数箇所に設けてもよい。このような構成とすれば、照明部７から照射される光がナイロンコードカッタ５によって干渉される影響をさらに小さくすることができ、作業性が向上する。
【００２２】
以上、実施の形態を例に本発明を説明したが、本願発明は請求項に記載の範囲で種々の変形が可能であることは、当業者に理解されるところである。例えば、本実施の形態において駆動源はモータハウジング２に収容されるモータとしたが、これをガソリンを燃料とするエンジンで構成してもよい。また、照明部７のスイッチを駆動スイッチと別途設ける構成としてもよく、複数段階の照度を選択可能な構成とすることも可能である。また、本実施の形態において刈刃はコードリール５１の周囲にナイロンコード５２を有するナイロンコードカッタ５であるとしたが、別の構成の刈刃であっても切断範囲の視認性を向上させるために適用可能である。例えば、金属製の刈刃であって、複数枚の刃部が周方向に離間して配置されている構成の刈刃においても好適であり、また同様に略円形のチップソーにおいても刈刃の影とならない位置に設ければよい。
【符号の説明】
【００２３】
１  草刈機
２  モータハウジング
３  棹部
４  ハンドル
５  ナイロンコードカッタ
５１  コードリール
５２  ナイロンコード
６  飛散防御カバー
７  照明部
８  回転範囲
【図１】
2017012048.tif 000003
【図２】
2017012048.tif 000004
【図３】
2017012048.tif 000005
【図４】
2017012048.tif 000006
【図５】
2017012048.tif 000007